(57)【要約】【課題】ペットボトルに投入した硬貨の枚数が把握でき、改めて枚数を計数する必要がなくなるとともに、現在の硬貨の枚数がわかり貯金する意欲が増すカウンター付キャップを提供すること。【解決手段】以下の要件を備えることを特徴とするカウンター付キャップ。（イ）上記カウンター付キャップ１はペットボトル２の飲み口に着脱可能であること（ロ）上記カウンター付キャップ１は硬貨４を投入する投入口５が形成され、内部には該投入口５から投入された硬貨４で作動させられるカウント機構Ａが設けてあること（ハ）上記硬貨４は、上記カウント機構Ａを作動させた後、上記ペットボトル２内に収容されること【選択図】図１
2008173337.tif 000002
【特許請求の範囲】
【請求項１】
以下の要件を備えることを特徴とするカウンター付キャップ。
（イ）上記カウンター付キャップはペットボトルの飲み口に着脱可能であること
（ロ）上記カウンター付キャップは硬貨を投入する投入口が形成され、内部には該投入口から投入された硬貨で作動させられるカウント機構が設けてあること
（ハ）上記硬貨は、上記カウント機構を作動させた後、上記ペットボトル内に収容されること
【発明の詳細な説明】
【技術分野】
【０００１】
本発明は、カウンター付キャップ、詳しくはペットボトルの飲み口に取り付けられ、ペットボトルに投入する硬貨の数をカウントするカウント機構を備えたカウンター付キャップに関するものである。
【背景技術】
【０００２】
従来、使用済みのペットボトルを貯金箱に利用するという考えが提案されている（例えば、特許文献１）。この貯金箱は、キャップの上部平面にコイン投入口を設けるとともにマスコットフィギュアを取り付けたもので、キャップを取り外すことなく硬貨をペットボトル内に投入することができるとともに、マスコットフィギュアを取り付けたことにより見るのが楽しくなり貯金をする意欲を沸き立たせることができることを目的としたものである。
【特許文献１】登録実用新案第３１０８５５１号公報
【発明の開示】
【発明が解決しようとする課題】
【０００３】
本発明が解決しようとする問題点は、上述の貯金箱はペットボトルに投入した硬貨の枚数が把握できないため改めて枚数をカウントしなければならない問題があった。
【０００４】
本発明は、上記問題点を解決し、ペットボトルに投入した硬貨の枚数が把握でき、改めて枚数を計数する必要がなくなるとともに、現在の硬貨の枚数がわかり貯金する意欲が増すカウンター付キャップを提供することを課題とする。
【課題を解決するための手段】
【０００５】
前記課題を解決するために本発明に係るカウンター付キャップは、以下の要件を備えることを特徴とする。
（イ）上記カウンター付キャップはペットボトルの飲み口に着脱可能であること
（ロ）上記カウンター付キャップは硬貨を投入する投入口が形成され、内部には該投入口から投入された硬貨で作動させられるカウント機構が設けてあること
（ハ）上記硬貨は、上記カウント機構を作動させた後、上記ペットボトル内に収容されること
【発明の効果】
【０００６】
本発明によれば、容器に投入した硬貨の枚数が把握でき、改めて枚数を計数する必要がなくなるとともに、現在の金額がカウンターに表示され貯金する楽しみが増すカウンター付キャップを提供することができる。
【発明を実施するための最良の形態】
【０００７】
図１は、本発明に係るカウンター付キャップ１を示し、このカウンター付キャップ１はペットボトル２のキャップ２ｂを外して飲み口２ａに着脱できるようにしたもので、ボディ部３の上面には硬貨４を投入する投入口５が形成され底部はペットボトル２の飲み口２ａに嵌合する嵌合部が形成され、内部には投入口５から投入する硬貨で作動するカウンター機構Aが配置されている。
【０００８】
ボディ部３は、図２に示すように、前ボディ部３ａと後ボディ部３ｂとで構成され、前ボディ部３ａの前面にはカウンターの表示が見える窓部１０が形成され、図示しないネジで前ボディ部３ａと後ボディ部３ｂとを連結して箱状に形成され、内部にカウンター機構Ａが収容できるようになっているものである。そして、ボディ部３の上面には硬貨を投入する開口部１１が形成され、底面にはペットボトルの飲み口２ａを挿入する開口部１２が形成され内壁面には後述するカウンター機構Ａの基板１５を支持する支持溝１３が形成されている。
【０００９】
上記カウンター機構Ａは、図３（ａ）に示すように、基板１５の前部には４桁の数字が表示できるように周面に０〜９の数字が表示された４つのドラムで構成された公知のドラムカウンター１６が配置され、透明板１７を透してカウンター１６の数値が視認できるようになっている。
【００１０】
基板１５の中央には立設して前ガイド板１８と後ガイド板１９とが固定され、この前ガイド板１８と後ガイド板１９とは天板２０で所定間隔を置いて連結され、天板２０に形成された硬貨の投入口５から投入した硬貨は、前ガイド板１８と後ガイド板１９の間を通過してペットボトルの中に落下するようになっている。
【００１１】
上記基板１５は中央が開口し、底面から下方に膨出して嵌合筒部２１が形成され、この嵌合筒部２１の内壁面２１ａにはペットボトルの飲み口２ａに形成された雄ネジに螺合する雌ネジ２２が形成されている。
【００１２】
カウンター機構は、上記投入口５から投入した硬貨に係合して左右に回動する係合板２３と、この係合板２３の左右の回動に連係して上下に回動する送りレバー２４とで構成され、図３（ｂ）に示すように係合板２３の先端２３ａは、前ガイド板１８と後ガイド板１９とで形成された通路内に突出し、硬貨を投入口５に押し込むと係合板２３の先端２３ａが硬貨に係合し、係合板２３は支軸２５を中心に外側に向かって回動する。係合板２３が回動すると送りレバー２４は連動して支軸２６を中心に上方に回動し、先端の爪２４ａがドラムカウンター１６の１桁目を動かし、カウントアップが行われるようになっている。
【００１３】
上記構成のカウンター付キャップを使用する場合は、飲み終えたペットボトル２のキャップ２ｂに代えて、飲み口２ａを嵌合筒部２１に螺合させてペットボトル２の先端にカウンター付キャップ１を固定する。この状態で硬貨４を投入口５から押し込むと、係合板２３の先端２３ａに硬貨４が係合し、係合板２３は支軸２５を中心に外側に回動させられ、送りレバー２４が動かされてカウントアップがなされ、最大９９９９枚の硬貨４をカウントすることができる。
【００１４】
上述したように、硬貨を投入するたびにカウンターが投入した硬貨の枚数をカウントして表示してくれるので、現在の投入した金額が一目で判り、硬貨を無駄にせず貯める楽しみが増すとともに、貯めた硬貨をペットボトル２より取り出す際に枚数を数える必要が無い上に、そのままキャップ２ｂを閉じれば保管できるし、カウンター付キャップ１を新たなペットボトル２に取り付ければ新たに貯金を始めることができ、お金を貯める楽しみと貯めた後の後処理が楽な貯金箱を実現することができるカウンター付キャップを提供することができる。
【００１５】
なお、ペットボトル２を改造することなく飲み口２ａから投入できる硬貨は１円硬貨であり、本発明のカウンター付キャップ１も硬貨４として１円硬貨を使用する事を前提にして構成されている。
【図面の簡単な説明】
【００１６】
【図１】本発明に係るカウンター付キャップの構成を説明する斜視図
【図２】上記カウンター付キャップの分解斜視図
【図３】（ａ）（ｂ）はカウンター機構の全体斜視図及びカウントアップ機構の説明図
【図４】カウンター機構の基板の斜視図
【図５】上記カウンター付キャップの使用態様の説明図
【符号の説明】
【００１７】
１    カウンター付キャップ
２    ペットボトル
３    ボディ部
４    硬貨
Ａ    カウンター機構
【図１】
2008173337.tif 000003
【図２】
2008173337.tif 000004
【図３】
2008173337.tif 000005
【図４】
2008173337.tif 000006
【図５】
2008173337.tif 000007